(57)【特許請求の範囲】
【請求項１】
測定機器と健康増進機器とがネットワークを介して接続され、
前記測定機器に、身体情報を測定する測定部と、前記測定部により測定された身体情報を前記ネットワークを介して前記健康増進機器へ送信する送信部とが設けられ、
前記健康増進機器に、前記測定機器から送信された身体情報を受信する受信部と、使用者の体に作用して使用者の健康を増進させる作用部と、前記受信部が受信した身体情報に基づいて前記作用部の動作を制御する制御部とが設けられ、
前記制御部は、前記健康増進機器を使用する前に前記測定機器で測定された身体情報に基づいて、使用者の健康状態が所定の基準レベルよりも良いと判断した場合、使用可能範囲を制限せずに前記作用部の動作を開始させることを特徴とする健康増進システム。
【請求項２】
前記制御部は、前記健康増進機器を使用する前に前記測定機器で測定された身体情報に基づいて、使用者の健康状態が所定の基準レベルよりも悪いと判断した場合、使用可能範囲を制限した状態で前記作用部の動作を開始させることを特徴とする請求項１記載の健康増進システム。
【請求項３】
前記身体情報は、使用者の血圧値、呼吸数、心拍数のうちの少なくとも何れか１つであることを特徴とする請求項１又は２記載の健康増進システム。
【発明の詳細な説明】
【技術分野】
【０００１】
本発明は、健康増進システムに関するものである。
【背景技術】
【０００２】
従来、健康増進のための健康増進機器として、例えば使用者に他動的な運動を行わせる他動運動機器のように運動に資する機器（以下、運動関連機器と言う。）や、例えばマッサージ機のように体調の回復に資する機器（以下、回復関連機器と言う。）が提供されている（例えば特許文献１参照）。
【特許文献１】特開２００７−２１２３１号公報
【発明の開示】
【発明が解決しようとする課題】
【０００３】
ところで、上述した他動運動機器やマッサージ機を使用する場合、使用時の体調に応じて他動運動機器であれば運動強度を調節し、マッサージ機であればマッサージの強弱を変えることが好ましいが、従来は使用者が自分で体調の良し悪しを判断して、運動強度の調整やマッサージの強弱を調整していたため、使い勝手が悪かった。また、使用時の体調に比べて運動強度が強めに設定されたために、過重な運動を行うことになったり、使用時の体調に比べてマッサージが強めに行われたために、体に疲労が溜まってしまうという問題があった。
【０００４】
本発明は上記問題点に鑑みて為されたものであり、その目的とするところは、使用前に測定された身体情報をもとに作用部の動作を制御できるようにした健康増進システムを提供することにある。
【課題を解決するための手段】
【０００５】
上記目的を達成するために、請求項１の発明は、測定機器と健康増進機器とがネットワークを介して接続され、測定機器に、身体情報を測定する測定部と、測定部により測定された身体情報をネットワークを介して健康増進機器へ送信する送信部とが設けられ、健康増進機器に、測定機器から送信された身体情報を受信する受信部と、使用者の体に作用して使用者の健康を増進させる作用部と、受信部が受信した身体情報に基づいて作用部の動作を制御する制御部とが設けられ、制御部は、健康増進機器を使用する前に測定機器で測定された身体情報に基づいて、使用者の健康状態が所定の基準レベルよりも良いと判断した場合、使用可能範囲を制限せずに作用部の動作を開始させることを特徴とする。ここにおいて健康増進機器とは、他動運動機器のように運動に資する運動関連機器や、マッサージ機のように体調の回復に資する回復関連機器のことを言う。
【０００７】
請求項２の発明は、請求項１の発明において、制御部は、健康増進機器を使用する前に測定機器で測定された身体情報に基づいて、使用者の健康状態が所定の基準レベルよりも悪いと判断した場合、使用可能範囲を制限した状態で作用部の動作を開始させることを特徴とする。
【０００８】
請求項３の発明は、請求項１又は２の発明において、身体情報は、使用者の血圧値、呼吸数、心拍数のうちの少なくとも何れか１つであることを特徴とする。
【発明の効果】
【０００９】
請求項１の発明によれば、健康増進機器の受信部が、ネットワークを介して測定機器から送信された身体情報を受信し、制御部が、受信部の受信した身体情報をもとに作用部の動作を制御しているので、使用前に測定された身体情報に合わせて作用部の動作を調整することができ、使用者の体調に合わせて作用部の動作を調整することができるという効果がある。
【００１１】
請求項２の発明によれば、使用者の健康状態が基準レベルよりも悪い場合は作用部の使用可能範囲を制限しているので、自身の健康状態に見合った範囲で健康増進機器を使用させることで、使用者の体に無理な負担がかかるのを防止でき、健康増進機器を安全に使用させることができる。
【００１２】
請求項３の発明によれば、身体情報として使用者の血圧値、呼吸数、心拍数のうちの少なくとも何れか１つを用いているので、呼吸・循環器系の測定結果から使用者の健康状態を判断できるという効果がある。
【発明を実施するための最良の形態】
【００１３】
以下に本発明の実施の形態を図面に基づいて説明する。
【００１４】
図１は本発明に係る健康増進システムの概略的なブロック構成図であり、測定機器１と健康増進機器２とをネットワーク３を介して接続してある。
【００１５】
測定機器１は、マイクロコンピュータからなり各回路要素の全体的な制御を行う演算処理部１０と、例えば使用者の血圧値および心拍数を測定する測定部１１と、電源のオン／オフ操作や、今回測定するユーザ名を入力するユーザ入力操作や、測定の開始操作などの操作を行うための操作部１２と、過去の測定データをユーザ毎に記憶する記憶部１３と、測定データを表示する表示部１４と、ネットワーク３を介してデータ通信を行うための通信部１５とを備える。なお測定部１１は従来周知の電子血圧計と同様の構成を有しているので、その説明は省略する。また測定部１１は血圧値や心拍数を測定するものに限定されるものではなく、所望の身体情報に対応した測定機能を備えていれば良い。例えば呼吸数を測定対象とする場合には、測定対象者の胸部に装着される歪みゲージや加速度センサで測定部１１が構成され、呼吸時の胸部の動きを歪みゲージや加速度センサで検出することによって呼吸数を測定することができる。
【００１６】
健康増進機器２は例えばマッサージ機で構成され、マイクロコンピュータからなり各回路要素の全体的な制御を行う演算処理部２０と、体の各部をマッサージするマッサージ機能を備えた作用部２１と、マッサージの部位、強さ、動きなどを設定する設定操作や、今回使用するユーザ名を入力するユーザ入力操作などの操作を行うための操作部２２と、液晶ディスプレイなどで構成され操作部２２により設定された設定内容や運転状態を表示するための表示部２３と、作用部２１を動作させるためのプログラムなどを記憶する記憶部２４と、ネットワーク３を介してデータ通信を行うための通信部２５とを備える。なお本実施形態では健康増進機器２としてマッサージ機のような回復関連機器を例に説明を行うが、健康増進機器２をマッサージ機に限定する趣旨のものではなく、健康増進機器２をユーザに運動を行わせることで健康増進を図る運動関連機器で構成しても良い。すなわち、健康増進機器２の備える機能に応じて作用部２１を構成すれば良く、健康増進機器２が、ユーザの乗る鞍状の座席部を揺動させることによって、乗馬を模した運動をユーザに行わせる乗馬型の他動運動機器で構成される場合は、使用者の座る座席部と、当該座席部を揺動させる揺動機構部とで作用部２１を構成すれば良い。
【００１７】
次に本実施形態の健康増進システムの利用方法について、図２のフロー図を参照して説明を行う。なお、測定機器１および健康増進機器２にはそれぞれ固有のアドレスデータが予め割り当てられており、当該アドレスデータを含めた伝送信号を送信することによって、測定機器１又は健康増進機器２へ個別にデータを送信することができる。また測定機器１および健康増進機器２には、機器の種別（測定機器１と健康増進機器２の別）を示す属性データが予め割り当てられており、当該属性データを含めた伝送信号を送信することによって、複数台の測定機器１、又は、複数台の健康増進機器２に対してデータを一括して送信することができる。
【００１８】
先ず使用者は測定機器１を使用して身体情報の測定を行う。使用者は測定機器１の操作部１２を操作して、電源のオン操作や、今回測定するユーザ名のユーザ入力操作を行った後、測定の開始操作を行うと、演算処理部１０が、操作部１２からの操作入力に応じて測定部１１を起動し、測定部１１による測定処理が行われる（ステップＳ１）。測定部１１の測定処理が終了すると、演算処理部１０は、測定部１１から入力される測定データを表示部１４に表示させるとともに、測定日時などの測定条件を示す測定条件データと測定データとをユーザ毎に記憶部１３に記憶させる（ステップＳ２）。
【００１９】
その後、使用者が健康増進機器２を使用する場合、使用者が健康増進機器２の操作部２２を操作して、電源のオン操作や、今回使用するユーザ名のユーザ入力操作を行うと（ステップＳ３）、演算処理部２０は、当該ユーザの測定データを要求する送信要求と測定機器１を示す属性データとを含めた伝送信号を、通信部２５から送信させる（ステップＳ４）。この時、ネットワーク３に接続された測定機器１では、演算処理部１０が、通信部１５の受信した伝送信号に含まれる属性データをもとに、測定機器１宛に送信された伝送信号と判断し、伝送信号に含まれる送信要求に応じた処理を行う。すなわち演算処理部１０は、記憶部１３内に記憶された測定データから、測定データの送信を要求されたユーザの測定データを検索する。ここで、記憶部１３内に当該ユーザの測定データが存在する場合、演算処理部１０は、当該ユーザの測定データおよび測定条件データを記憶部１３から読み出すとともに、読み出した測定データおよび測定条件データを含めた返送信号を通信部１５から要求元の健康増進機器２へ送信させる。
【００２０】
健康増進機器２の演算処理部２０は、送信要求の送信後に通信部２５が測定機器１からの返送信号を受信できたか否かを監視しており（ステップＳ５）、所定の返信待機期間内に返送信号を受信できなかった場合は、身体情報の測定を行っていないと判断して作用部２１の動作を不許可とし（ステップＳ６）、表示部２３により身体情報の測定を促す表示を行った後（ステップＳ７）、処理を終了する。
【００２１】
一方、通信部２５が返信待機期間内に返送信号を受信できた場合、演算処理部２０は、返送信号に含まれる測定条件データをもとに、最新の測定データが所定の有効期限内（例えば３０分以内）のデータか否かを判断し（ステップＳ８）、最新の測定データが有効期限を過ぎていれば、作用部２１の動作を不許可とし（ステップＳ６）、表示部２３により身体情報の測定を促す表示を行った後（ステップＳ７）、処理を終了する。
【００２２】
また、ステップＳ８の判定の結果、最新の測定データが所定の有効期限内のデータであれば、演算処理部２０は、返送信号に含まれる測定データおよび測定条件データをユーザ毎に記憶部２４に記憶させるとともに、最新の測定データを所定の基準データと比較することで、今回使用するユーザの健康状態の良否を判断する。本実施形態では、測定機器１がユーザの血圧値および脈拍数を検出しているので、健康増進機器２の演算処理部２０は、血圧値および脈拍数の測定結果が所定の基準範囲内に収まっているか否かを判断する（ステップＳ９）。例えば身体情報が最高血圧の場合には１４０ｍｍＨｇ以上、最低血圧の場合には９０ｍｍＨｇ以上を不健康と判断し、身体情報が心拍数の場合には６０以上且つ１００以下であれば健康状態と判断する。また身体情報が呼吸数の場合は１５回／分以上且つ２５回／分以下であれば健康状態と判断する。
【００２３】
ステップＳ９の判定において測定結果が基準範囲内であれば、演算処理部２０は、ユーザの健康状態が所定の基準レベルよりも良いと判断して作用部２１の動作を許可し（ステップＳ１０）、ユーザが操作部２２を用いてマッサージの部位、強さ、動きなどの動作条件を入力すると（ステップＳ１１）、操作部２２からの操作入力に応じて作用部２１を動作させることで、作用部２１によりマッサージを行わせる（ステップＳ１２）。一方、ステップＳ９の判定において測定結果が基準範囲外であれば、演算処理部２０は、ユーザの健康状態が基準レベルよりも悪いと判断して作用部２１の動作を不許可とし（ステップＳ１３）、健康状態が基準レベルよりも悪いことを表示部２３に表示させた後（ステップＳ１４）、処理を終了する。
【００２４】
以上のように本実施形態では、ユーザが健康増進機器２を使用する際に、演算処理部２０が、通信部２５を用いて測定機器１から当該ユーザの身体情報（血圧値および脈拍数）を取得し、取得した身体情報をもとに当該ユーザの健康状態の良否を判断しており、ユーザの健康状態に応じて作用部２１の動作を制御しているので、使用時の体調に合わせて作用部２１の動作を調整することができる。そして、演算処理部２０は、身体情報をもとに使用者の健康状態が所定の基準レベルよりも良いと判断した場合のみ、作用部２１を動作させており、ユーザの健康状態が基準レベルよりも悪い場合は作用部２１を動作させないことで、使用者の体に無理な負担がかかるのを防止でき、健康増進機器２を安全に使用させることができる。
【００２５】
また本実施形態では健康増進機器２の演算処理部２０は、ユーザの健康状態が基準レベルよりも良いと判断した場合のみ、作用部２１の動作を許可しているが、健康状態が基準レベルよりも悪いと判断した場合に、作用部２１の使用可能範囲を制限する処理を行うようにしても良い。
【００２６】
本実施形態では健康増進機器２としてマッサージ機を用いており、図３（ａ）〜（ｃ）は動作条件の入力時に表示部２３に表示される選択メニューの画面例を示している。演算処理部２０により作用部２１の使用可能範囲が制限されていない状態では、図３（ａ）に示すように「揉み」、「たたき」、「背すじのばし」のメニューが利用でき、また各メニュー共通で速度の選択範囲が「１〜１０」の１０段階で設定され、さらに「揉み」メニューでは、揉みの強さの選択範囲が「１〜５」の５段階で、揉み幅の選択範囲が上下方向は「１〜５０」（ｃｍ）、幅方向は「１〜１０」（ｃｍ）に設定されているので、ユーザは、操作部２２を用いて、上記の選択範囲内でマッサージのメニューや速度、強さ、上下又は左右の揉み幅などを設定することができる。
【００２７】
ここで、演算処理部２０は、測定機器１から取得した身体情報をもとにユーザの健康状態が基準レベルよりも悪いと判断した場合は、作用部２１の使用可能範囲を制限しており、例えば図３（ｂ）に示すように利用可能なメニューを「もみ」「背すじのばし」のみに制限するとともに、速度の選択範囲を「１〜５」に制限したり、図３（ｃ）に示すように「揉み」メニューで揉みの強さを、通常時よりも小さい範囲（例えば「１〜３」まで）に制限し、且つ、幅方向の選択範囲を「１〜５」（ｃｍ）に制限している。而して、本システムではユーザの健康状態に見合った範囲で健康増進機器２を使用させることができ、使用者の体に無理な負担がかかるのを防止できるから、健康増進機器２を安全に使用させることができる。
【００２８】
尚、本実施形態では測定機器１および健康増進機器２において、使用者自身が操作部１２，２２を用いてユーザ名を入力することによって、測定機器１および健康増進機器２を使用する人物を識別しているが、指紋や虹彩パターンや静脈パターンなどの生体情報を用いて個人認証を行う個人認証手段を測定機器１および健康増進機器２に設けても良く、測定機器１および健康増進機器２を使用する際に、ユーザ名を入力する手間を無くすことができる。
ところで、前記制御部は、身体情報をもとに使用者の健康状態が所定の基準レベルよりも良いと判断した場合のみ、前記作用部を動作させることも好ましい。これにより、使用者の健康状態が基準レベルよりも悪い場合は作用部を動作させないことで、使用者の体に無理な負担がかかるのを防止でき、健康増進機器を安全に使用させることができる。
【図面の簡単な説明】
【００２９】
【図１】本実施形態のシステム構成を概略的に説明するブロック構成図である。
【図２】同上の動作を説明するフローチャートである。
【図３】（ａ）〜（ｃ）は同上の健康増進機器の表示画面を示す例図である。
【符号の説明】
【００３０】
１  測定機器
２  健康増進機器
３  ネットワーク
２０  演算処理部
２１  作用部
２２  操作部
２５  通信部
【図１】
0005221933.tif 000002
【図２】
0005221933.tif 000003
【図３】
0005221933.tif 000004